(57)【特許請求の範囲】
【請求項１】
無線通信システムにおける資源センシングに対する測定方法であって、
端末によって遂行される前記測定方法は、
前記端末に対して設定されたＶ２Ｘ（vehicle to everything）資源プール上で転送ダイバーシティモード共存有無、前記端末がＰＳＳＣＨ  ＲＳＲＰ（Physical Sidelink Shared Channel  Reference Signal Received Power）を測定しようとする特定端末の転送ダイバーシティモードにより使用するアンテナポート個数、前記特定端末の転送ダイバーシティ技法種類、について報告する情報を受信し、
前記情報に基づいて転送ダイバーシティ基盤のＶ２Ｘ転送動作を遂行する前記特定端末を検出し、
前記端末により使用するアンテナポートに基づいて、前記特定端末に対する前記ＰＳＳＣＨ  ＲＳＲＰを測定し、及び
前記ＰＳＳＣＨ  ＲＳＲＰのパワーブースト値に基づいて、前記Ｖ２Ｘ資源プールに対する前記資源センシングを遂行することを含んでなり、
前記アンテナポートのアンテナポート個数は前記端末と前記特定端末との間で分割されることを特徴とする、測定方法。
【請求項２】
前記情報はＶ２Ｘ資源プール設定情報又はＰＳＣＣＨ（Physical Sidelink Control Channel）に定義されたフィールドに含まれることを特徴とする、請求項１に記載の方法。
【請求項３】
前記情報は、ＰＳＣＣＨ上の留保されたビット（reserved bits）を用いて受信することを特徴とする、請求項１に記載の方法。
【請求項４】
前記端末及び前記特定端末は、同一なＶ２Ｘ資源プール上に存在することを特徴とする、請求項１に記載の方法。
【請求項５】
前記端末は、シングルアンテナポートに基づいて転送を遂行し、かつ、前記転送ダイバーシティモードに基づいて転送を遂行しない、端末であることを特徴とする、請求項１に記載の方法。
【請求項６】
前記端末は、前記特定端末により使われる複数個のアンテナポート上で各々ＰＳＳＣＨ  ＲＳＲＰを測定し、前記測定された値を組み合せて最終ＰＳＳＣＨ  ＲＳＲＰを決定することを特徴とする、請求項１に記載の方法。
【請求項７】
前記特定端末は、事前に設定された範囲内のＰＰＰＰ（Prose Per Packet Priority）を有することを特徴とする、請求項１に記載の方法。
【請求項８】
前記特定端末は、事前に設定されたしきい値より低いチャンネル混雑比率（CHANNEL BUSY RATIO；ＣＢＲ）が測定されることを特徴とする、請求項１に記載の方法。
【請求項９】
前記Ｖ２Ｘ資源プールは、転送ダイバーシティ基盤のＶ２Ｘ通信が許容されないＶ２Ｘ資源プールと独立的に設定されることを特徴とする、請求項１に記載の方法。
【請求項１０】
前記Ｖ２Ｘ資源プールではＰＳＳＣＨ転送に対してのみ転送ダイバーシティが適用可能であることを特徴とする、請求項１に記載の方法。
【請求項１１】
前記特定端末は、事前に設定された速度範囲内の端末であることを特徴とする、請求項１に記載の方法。
【請求項１２】
前記端末は、前記特定端末が生成する復調参照信号（demodulation reference signal；ＤＭＲＳ）シーケンスに基づいてＰＳＳＣＨ−ＲＳＲＰを測定し、かつ前記特定端末が生成する復調参照信号（demodulation reference signal；ＤＭＲＳ）シーケンスは前記端末がＤＭＲＳシーケンスを生成する方法と同一な方法により生成されることを特徴とする、請求項１に記載の方法。
【請求項１３】
前記パワーブースト値は、前記特定端末の前記転送ダイバーシティモードにより使用する前記アンテナポート個数に基づいて算出することを特徴とする、請求項１に記載の方法。
【請求項１４】
端末（User equipment；ＵＥ）であって、
無線信号を送信及び受信するトランシーバー；及び
前記トランシーバーと結合して動作するプロセッサ；を備えてなり、
前記プロセッサは、
前記端末に対して設定されたＶ２Ｘ（vehicle to everything）資源プール上で転送ダイバーシティモード共存有無、前記端末がＰＳＳＣＨ  ＲＳＲＰ（Physical Sidelink Shared Channel  Reference Signal Received Power）を測定しようとする特定端末の転送ダイバーシティモードにより使用するアンテナポート個数、前記特定端末の転送ダイバーシティ技法種類、について報告する情報を受信し、
前記情報に基づいて転送ダイバーシティ基盤のＶ２Ｘ転送動作を遂行する前記特定端末を検出し、
前記端末により使用するアンテナポートに基づいて、前記特定端末に対する前記ＰＳＳＣＨ  ＲＳＲＰを測定し、及び
前記ＰＳＳＣＨ  ＲＳＲＰのパワーブースト値に基づいて、前記Ｖ２Ｘ資源プールに対する資源センシングを遂行することを含んでなり、
前記アンテナポートのアンテナポート個数は前記端末と前記特定端末との間で分割されることを特徴とする、端末。
【発明の詳細な説明】
【技術分野】
【０００１】
本発明は無線通信に関し、より詳しくは、無線通信システムにおける端末の信号受信電力測定方法及び前記方法を用いる端末に関する。
【背景技術】
【０００２】
ＩＴＵ−Ｒ（International Telecommunication Union Radio communication sector）では３世帯以後の次世代移動通信システムであるＩＭＴ（International Mobile Telecommunication）−Ａｄｖａｎｃｅｄの標準化作業を進行している。ＩＭＴ−Ａｄｖａｎｃｅｄは停止及び低速移動状態で１Ｇｂｐｓ、高速移動状態で１００Ｍｂｐｓのデータ転送率でＩＰ（Internet Protocol）基盤のマルチメディアサービス支援を目標とする。
【０００３】
３ＧＰＰ（3rd GenerationPartnership Project）はＩＭＴ−Ａｄｖａｎｃｅｄの要求事項を満たすシステム標準にＯＦＤＭＡ（Orthogonal Frequency Division Multiple Access）／ＳＣ−ＦＤＭＡ（Single Carrier-Frequency Division Multiple Access）転送方式基盤であるＬＴＥ（Long Term Evolution）を改善したＬＴＥ−Ａｄｖａｎｃｅｄ（ＬＴＥ−Ａ）を準備している。ＬＴＥ−ＡはＩＭＴ−Ａｄｖａｎｃｅｄのための有力な候補の１つである。
【０００４】
最近、装置間の直接通信を行うＤ２Ｄ（Device-to-Device）技術に対する関心が高まっている。特に、Ｄ２Ｄは公衆安全ネットワーク（public safety network）のための通信技術として注目を受けている。商業的通信ネットワークは速くＬＴＥに変化しているが、既存の通信規格との衝突問題と費用面で現在の公衆安全ネットワークは主に２Ｇ技術に基盤している。このような技術間隙と改善されたサービスに対する要求は公衆安全ネットワークを改善しようとする努力に繋がっている。
【０００５】
前述したＤ２Ｄ通信を拡張して車両間の信号送受信に適用することができ、車両（VEHICLE）と関連した通信を特別にＶ２Ｘ（VEHICLE-TO-EVERYTHING）通信と称する。Ｖ２Ｘで‘Ｘ’という用語は PEDESTRIAN (COMMUNICATION BETWEEN A VEHICLE AND A DEVICE CARRIED BY AN INDIVIDUAL （例： HANDHELD TERMINAL CARRIED BY A PEDESTRIAN, CYCLIST, DRIVER OR PASSENGER ）、この際、Ｖ２ＸはＶ２Ｐと表示することができる）、 VEHICLE (COMMUNICATION BETWEEN VEHICLES) (V2V), INFRASTRUCTURE/NETWORK (COMMUNICATION BETWEEN A VEHICLE AND A ROADSIDE UNIT (RSU)/NETWORK (例) RSU IS A TRANSPORTATION INFRASTRUCTURE ENTITY (例) AN ENTITY TRANSMITTING SPEED NOTIFICATIONS) IMPLEMENTED IN AN eNB OR A STATIONARY UE) (V2I/N) などを意味する。歩行者（または、人）が所持した（Ｖ２Ｐ通信関連）デバイスを“Ｐ−ＵＥ”と命名し、車両（VEHICLE）に設置された（Ｖ２Ｘ通信関連）デバイスを“Ｖ−ＵＥ”と命名する。本発明で、‘エンティティー（ENTITY）’用語はＰ−ＵＥ、Ｖ−ＵＥ、ＲＳＵ（/NETWORK/INFRASTRUCTURE）のうちの少なくとも１つとして解析できる。
【０００６】
一方、Ｖ２Ｘ通信で転送ダイバーシティの導入有無が論議されている。例えば、特定Ｖ２Ｘ資源プールに対して前記資源プール内で転送ダイバーシティ許容有無がネットワークにより決定されることができ、転送ダイバーシティが許容されれば、各端末は転送ダイバーシティ基盤のＶ２Ｘ通信有無を決定することができる。
【０００７】
これによって、転送ダイバーシティ基盤のＶ２Ｘ通信を遂行しようとする端末とそうでない端末（例、レガシー端末）のＶ２Ｘ通信が遂行される場合において、両端末間の資源衝突防止のために端末のセンシング、ＰＳＳＣＨ参照信号受信電力（PSSCH Reference Signal Received Power； ＰＳＣＣＨ−ＲＳＲＰ）測定及びパワーブースティング（Power Boosting）など、追加的な情報乃至動作が必要でありうる。
【０００８】
ここに、本発明ではＶ２Ｘ通信での転送ダイバーシティの導入に従う、端末の信号受信電力測定方法及び前記方法を用いる端末を提供しようとする。
【発明の概要】
【発明が解決しようとする課題】
【０００９】
本発明が解決しようとする技術的課題は、無線通信システムにおける端末の信号受信電力測定方法及び前記方法を用いる端末を提供することにある。
【課題を解決するための手段】
【００１０】
一態様において、無線通信システムにおける端末の信号受信電力測定方法において、前記端末が設定を受けたＶ２Ｘ（vehicle to everything）資源プール上で転送ダイバーシティモード共存有無、前記端末が信号受信電力を測定しようとする他の端末の転送ダイバーシティモードにより使用するアンテナポート個数、前記他の端末の転送ダイバーシティ技法種類のうち、少なくともいずれか１つに対する情報を受信し、前記情報に基づいて転送ダイバーシティ基盤のＶ２Ｘ転送動作を遂行する特定端末を検出し、前記特定端末に対するＰＳＳＣＨ参照信号受信電力（Physical Sidelink Shared Channel Reference Signal Received Power; PSSCH RSRP）を測定することを特徴とする。
【００１１】
ここで、前記少なくともいずれか１つに対する情報はＶ２Ｘ資源プール設定情報またはＰＳＣＣＨ（Physical Sidelink Control Channel）に定義されたフィールドに含まれることができる。
【００１２】
ここで、前記情報はＰＳＣＣＨ上の留保されたビット（reserved bits）を用いて受信することができる。
【００１３】
ここで、前記端末及び前記特定端末は同一なＶ２Ｘ資源プール上に存在することができる。
【００１４】
ここで、前記端末のＶ２Ｘ転送に使われるアンテナポートで測定されたＰＳＳＣＨ  ＲＳＲＰ値を事前に設定されたオフセットだけ増加させることができる。
【００１５】
ここで、前記特定端末により使われる複数個のアンテナポート上で各々ＰＳＳＣＨ  ＲＳＲＰを測定し、前記測定された値を組み合せて最終ＰＳＳＣＨ  ＲＳＲＰを決定することができる。
【００１６】
ここで、前記特定端末は事前に設定された範囲内のＰＰＰＰ（Prose Per Packet Priority）を有することができる。
【００１７】
ここで、前記特定端末は事前に設定されたしきい値より低いチャンネル混雑比率（CHANNEL BUSY RATIO；ＣＢＲ）が測定できる。
【００１８】
ここで、前記Ｖ２Ｘ資源プールは転送ダイバーシティ基盤のＶ２Ｘ通信が許容されないＶ２Ｘ資源プールと独立的に設定できる。
【００１９】
ここで、前記Ｖ２Ｘ資源プールではＰＳＳＣＨ転送に対してのみ転送ダイバーシティが適用可能でありうる。
【００２０】
ここで、前記特定端末は事前に設定された速度範囲内の端末でありうる。
【００２１】
ここで、前記端末は前記特定端末が生成する復調参照信号（demodulation reference signal；ＤＭＲＳ）シーケンスに基づいてＰＳＳＣＨ−ＲＳＲＰを測定し、かつ前記特定端末が生成する復調参照信号（demodulation reference signal；ＤＭＲＳ）シーケンスは前記端末がＤＭＲＳシーケンスを生成する方法と同一な方法により生成できる。
【００２２】
他の側面で提供される端末（User equipment；ＵＥ）は、無線信号を送信及び受信するトランシーバー及び前記トランシーバーと結合して動作するプロセッサを含み、かつ前記プロセッサは、前記端末が設定を受けたＶ２Ｘ資源プール上で転送ダイバーシティモード共存有無、前記端末が信号受信電力を測定しようとする他の端末の転送ダイバーシティモードにより使用するアンテナポート個数、前記他の端末の転送ダイバーシティ技法種類のうち、少なくともいずれか１つに対する情報を受信し、前記情報に基づいて転送ダイバーシティ基盤のＶ２Ｘ転送動作を遂行する特定端末を検出し、前記特定端末に対するＰＳＳＣＨ参照信号受信電力（Physical Sidelink Shared Channel Reference Signal Received Power；ＰＳＳＣＨ  ＲＳＲＰ）を測定することを特徴とする。
【００２３】
本発明によれば、転送ダイバーシティを使用する端末とそうでない端末が共存する場合において、転送ダイバーシティ技法を考慮した信号受信電力測定を通じて資源衝突を防止することができる。
【図面の簡単な説明】
【００２４】
【図１】図１は、無線通信システムを例示する。
【図２】図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示したブロック図である。
【図３】図３は、制御平面（ｃｏｎｔｒｏｌ  ｐｌａｎｅ）に対する無線プロトコル構造を示したブロック図である。
【図４】図４は、ＮＲが適用される次世代無線アクセスネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【図５】図５は、ＮＧ−ＲＡＮと５ＧＣとの間の機能的分割を例示する。
【図６】図６は、Ｖ２ＸまたはＤ２Ｄ通信を遂行する端末を例示する。
【図７】図７は、Ｖ２Ｘ／Ｄ２Ｄ関連した転送モード（transmission mode：ＴＭ）に従う端末動作を例示する。
【図８】図８は、資源単位の構成例を示す。
【図９】図９は、本発明の一実施形態に従う、信号受信電力測定方法のフローチャートである。
【図１０】図１０は、本発明の実施形態が具現される通信装置を示したブロック図である。
【図１１】図１１は、プロセッサに含まれる装置の一例を示すブロック図である。
【発明を実施するための形態】
【００２５】
図１は、無線通信システムを例示する。これは、Ｅ-ＵＴＲＡＮ（Ｅｖｏｌｖｅｄ-ＵＭＴＳ  Ｔｅｒｒｅｓｔｒｉａｌ  Ｒａｄｉｏ  Ａｃｃｅｓｓ  Ｎｅｔｗｏｒｋ）、またはＬＴＥ（Ｌｏｎｇ  Ｔｅｒｍ  Ｅｖｏｌｕｔｉｏｎ）／ＬＴＥ-Ａシステムと呼ばれることができる。
【００２６】
Ｅ-ＵＴＲＡＮは、端末１０（Ｕｓｅｒ  Ｅｑｕｉｐｍｅｎｔ、ＵＥ）に制御平面（ｃｏｎｔｒｏｌ  ｐｌａｎｅ）とユーザ平面（ｕｓｅｒ  ｐｌａｎｅ）を提供する基地局２０（Ｂａｓｅ  Ｓｔａｔｉｏｎ、ＢＳ）とを含む。端末１０は、固定されるか、または移動性を有することができ、ＭＳ（Ｍｏｂｉｌｅ  ｓｔａｔｉｏｎ）、ＵＴ（Ｕｓｅｒ  Ｔｅｒｍｉｎａｌ）、ＳＳ（Ｓｕｂｓｃｒｉｂｅｒ  Ｓｔａｔｉｏｎ）、ＭＴ（ｍｏｂｉｌｅ  ｔｅｒｍｉｎａｌ）、無線機器（Ｗｉｒｅｌｅｓｓ  Ｄｅｖｉｃｅ）等、他の用語で呼ばれることができる。基地局２０は、端末１０と通信する固定された支点（ｆｉｘｅｄ  ｓｔａｔｉｏｎ）をいい、ｅＮＢ（ｅｖｏｌｖｅｄ-ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることができる。
【００２７】
基地局２０は、Ｘ２インタフェースを介して互いに接続されることができる。基地局２０は、Ｓ１インタフェースを介してＥＰＣ（Ｅｖｏｌｖｅｄ Ｐａｃｋｅｔ  Ｃｏｒｅ）３０、さらに詳細には、Ｓ１-ＭＭＥを介してＭＭＥ（Ｍｏｂｉｌｉｔｙ  Ｍａｎａｇｅｍｅｎｔ  Ｅｎｔｉｔｙ）とＳ１-Ｕを介してＳ-ＧＷ（Ｓｅｒｖｉｎｇ  Ｇａｔｅｗａｙ）と接続される。
【００２８】
ＥＰＣ３０は、ＭＭＥ、Ｓ-ＧＷ及びＰ-ＧＷ（Ｐａｃｋｅｔ  Ｄａｔａ  Ｎｅｔｗｏｒｋ-Ｇａｔｅｗａｙ）から構成される。ＭＭＥは、端末の接続情報または端末の能力に関する情報を有しており、このような情報は、端末の移動性管理に主に使用される。Ｓ-ＧＷは、Ｅ-ＵＴＲＡＮを終端点として有するゲートウェイであり、Ｐ-ＧＷは、ＰＤＮを終端点として有するゲートウェイである。
【００２９】
端末とネットワークとの間の無線インタフェースプロトコル（Ｒａｄｉｏ  Ｉｎｔｅｒｆａｃｅ  Ｐｒｏｔｏｃｏｌ）の階層は、通信システムにおいて広く知られた開放型システム間相互接続（Ｏｐｅｎ  Ｓｙｓｔｅｍ  Ｉｎｔｅｒｃｏｎｎｅｃｔｉｏｎ；ＯＳＩ）基準モデルの下位３個階層に基づいてＬ１（第１階層）、Ｌ２（第２階層）、Ｌ３（第３階層）に区分されることができるが、この中で第１階層に属する物理階層は、物理チャネル（Ｐｈｙｓｉｃａｌ  Ｃｈａｎｎｅｌ）を利用した情報送信サービス（Ｉｎｆｏｒｍａｔｉｏｎ  Ｔｒａｎｓｆｅｒ  Ｓｅｒｖｉｃｅ）を提供し、第３階層に位置するＲＲＣ（Ｒａｄｉｏ  Ｒｅｓｏｕｒｃｅ  Ｃｏｎｔｒｏｌ）階層は、端末とネットワークとの間に無線資源を制御する役割を行う。このために、ＲＲＣ階層は、端末と基地局との間のＲＲＣメッセージを交換する。
【００３０】
図２は、ユーザ平面（ｕｓｅｒ  ｐｌａｎｅ）に対する無線プロトコル構造（ｒａｄｉｏ  ｐｒｏｔｏｃｏｌ  ａｒｃｈｉｔｅｃｔｕｒｅ）を示したブロック図である。図３は、制御平面（ｃｏｎｔｒｏｌ  ｐｌａｎｅ）に対する無線プロトコル構造を示したブロック図である。ユーザ平面は、ユーザデータ送信のためのプロトコルスタック（ｐｒｏｔｏｃｏｌ  ｓｔａｃｋ）で、制御平面は、制御信号送信のためのプロトコルスタックである。
【００３１】
図２及び３を参照すると、物理階層（ＰＨＹ（ｐｈｙｓｉｃａｌ）  ｌａｙｅｒ）は、物理チャネル（ｐｈｙｓｉｃａｌ  Ｃｈａｎｎｅｌ）を利用して上位階層に情報送信サービス（ｉｎｆｏｒｍａｔｉｏｎ  tｒａｎｓｆｅｒ  sｅｒｖｉｃｅ）を提供する。物理階層は、上位階層であるＭＡＣ（Ｍｅｄｉｕｍ  Ａｃｃｅｓｓ  Ｃｏｎｔｒｏｌ）階層とは送信チャネル（ｔｒａｎｓｐｏｒｔ  ｃｈａｎｎｅｌ）を介して接続されている。送信チャネルを介してＭＡＣ階層と物理階層との間にデータが移動する。送信チャネルは、無線インタフェースを介してデータがどのようにどんな特徴で送信されるかによって分類される。
【００３２】
互いに異なる物理階層の間、すなわち送信機と受信機の物理階層の間は、物理チャネルを介してデータが移動する。前記物理チャネルは、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式で変調されることができ、時間と周波数を無線資源として活用する。
【００３３】
ＭＡＣ階層の機能は、論理チャネルと送信チャネルとの間のマッピング及び論理チャネルに属するＭＡＣ  ＳＤＵ（ｓｅｒｖｉｃｅ  ｄａｔａ  ｕｎｉｔ）の送信チャネル上へ物理チャネルに提供される送信ブロック（ｔｒａｎｓｐｏｒｔ  ｂｌｏｃｋ）への多重化／逆多重化を含む。ＭＡＣ階層は、論理チャネルを介してＲＬＣ（Ｒａｄｉｏ  Ｌｉｎｋ  Ｃｏｎｔｒｏｌ）階層にサービスを提供する。
【００３４】
ＲＬＣ階層の機能は、ＲＬＣ  ＳＤＵの接続（ｃｏｎｃａｔｅｎａｔｉｏｎ）、分割（ｓｅｇｍｅｎｔａｔｉｏｎ）及び再結合（ｒｅａｓｓｅｍｂｌｙ）を含む。無線ベアラー（Ｒａｄｉｏ  Ｂｅａｒｅｒ；ＲＢ）が要求する多様なＱｏＳ（Ｑｕａｌｉｔｙ  ｏｆ  Ｓｅｒｖｉｃｅ）を保障するために、ＲＬＣ階層は、透明モード（Ｔｒａｎｓｐａｒｅｎｔ  Ｍｏｄｅ、ＴＭ）、非確認モード（Ｕｎａｃｋｎｏｗｌｅｄｇｅｄ  Ｍｏｄｅ、ＵＭ）及び確認モード（Ａｃｋｎｏｗｌｅｄｇｅｄ  Ｍｏｄｅ、ＡＭ）の３通りの動作モードを提供する。ＡＭ  ＲＬＣは、ＡＲＱ（ａｕｔｏｍａｔｉｃ  ｒｅｐｅａｔ  ｒｅｑｕｅｓｔ）を介してエラー訂正を提供する。
【００３５】
ＲＲＣ（Ｒａｄｉｏ  Ｒｅｓｏｕｒｃｅ  Ｃｏｎｔｒｏｌ）階層は、制御平面においてのみ定義される。ＲＲＣ階層は、無線ベアラーの設定（ｃｏｎｆｉｇｕｒａｔｉｏｎ）、再設定（ｒｅ-ｃｏｎｆｉｇｕｒａｔｉｏｎ）及び解除（ｒｅｌｅａｓｅ）と関連して、論理チャネル、送信チャネル及び物理チャネルの制御を担当する。ＲＢは、端末とネットワークとの間のデータ伝達のために、第１階層（ＰＨＹ階層）及び第２階層（ＭＡＣ階層、ＲＬＣ階層、ＰＤＣＰ階層）により提供される論理的経路を意味する。
【００３６】
ユーザ平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、ユーザデータの伝達、ヘッダ圧縮（ｈｅａｄｅｒ  ｃｏｍｐｒｅｓｓｉｏｎ）及び暗号化（ｃｉｐｈｅｒｉｎｇ）を含む。制御平面でのＰＤＣＰ（Ｐａｃｋｅｔ  Ｄａｔａ  Ｃｏｎｖｅｒｇｅｎｃｅ  Ｐｒｏｔｏｃｏｌ）階層の機能は、制御平面データの伝達及び暗号化／整合性保護（ｉｎｔｅｇｒｉｔｙ  ｐｒｏｔｅｃｔｉｏｎ）を含む。
【００３７】
ＲＢが設定されるということは、特定サービスを提供するために無線プロトコル階層及びチャネルの特性を規定し、各々の具体的なパラメータ及び動作方法を設定する過程を意味する。ＲＢは、またＳＲＢ（Ｓｉｇｎａｌｉｎｇ  ＲＢ）とＤＲＢ（Ｄａｔａ  ＲＢ）の２通りに分けられることができる。ＳＲＢは、制御平面においてＲＲＣメッセージを送信する通路として使用され、ＤＲＢは、ユーザ平面においてユーザデータを送信する通路として使用される。
【００３８】
端末のＲＲＣ階層とＥ-ＵＴＲＡＮのＲＲＣ階層との間にＲＲＣ接続（ＲＲＣ  Ｃｏｎｎｅｃｔｉｏｎ）が確立されると、端末は、ＲＲＣ接続（ＲＲＣ  ｃｏｎｎｅｃｔｅｄ）状態にあるようになり、そうでない場合、ＲＲＣアイドル（ＲＲＣ  ｉｄｌｅ）状態にあるようになる。
【００３９】
ネットワークにおいて端末にデータを送信するダウンリンク送信チャネルには、システム情報を送信するＢＣＨ（Ｂｒｏａｄｃａｓｔ  Ｃｈａｎｎｅｌ）とその以外にユーザトラフィックまたは制御メッセージを送信するダウンリンクＳＣＨ（Ｓｈａｒｅｄ  Ｃｈａｎｎｅｌ）がある。ダウンリンクマルチキャストまたはブロードキャストサービスのトラフィックまたは制御メッセージの場合、ダウンリンクＳＣＨを介して送信されることもでき、または別のダウンリンクＭＣＨ（Ｍｕｌｔｉｃａｓｔ  Ｃｈａｎｎｅｌ）を介して送信されることもできる。一方、端末においてネットワークにデータを送信するアップリンク送信チャネルには、初期制御メッセージを送信するＲＡＣＨ（Ｒａｎｄｏｍ  Ａｃｃｅｓｓ  Ｃｈａｎｎｅｌ）とそれ以外にユーザトラフィックまたは制御メッセージを送信するアップリンクＳＣＨ（Ｓｈａｒｅｄ  Ｃｈａｎｎｅｌ）がある。
【００４０】
送信チャネル上位にあり、送信チャネルにマッピングされる論理チャネル（Ｌｏｇｉｃａｌ  Ｃｈａｎｎｅｌ）には、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【００４１】
物理チャネル（Ｐｈｙｓｉｃａｌ  Ｃｈａｎｎｅｌ）は、時間領域で複数のＯＦＤＭシンボルと周波数領域で複数の副搬送波（Ｓｕｂ-ｃａｒｒｉｅｒ）とから構成される。一つのサブフレーム（Ｓｕｂ-ｆｒａｍｅ）は、時間領域で複数のＯＦＤＭシンボル（Ｓｙｍｂｏｌ）から構成される。資源ブロックは、資源割り当て単位であって、複数のＯＦＤＭシンボルと複数の副搬送波（ｓｕｂ-ｃａｒｒｉｅｒ）から構成される。また、各サブフレームは、ＰＤＣＣＨ（Ｐｈｙｓｉｃａｌ  Ｄｏｗｎｌｉｎｋ  Ｃｏｎｔｒｏｌ  Ｃｈａｎｎｅｌ）すなわち、Ｌ１／Ｌ２制御チャネルのために該当サブフレームの特定ＯＦＤＭシンボル（例、第１番目のＯＦＤＭシンボル）の特定副搬送波を利用できる。ＴＴＩ（Ｔｒａｎｓｍｉｓｓｉｏｎ  Ｔｉｍｅ  Ｉｎｔｅｒｖａｌ）は、サブフレーム送信の単位時間である。
【００４２】
以下、新しい無線アクセス技術（ｎｅｗｒａｄｉｏ  ａｃｃｅｓｓ  ｔｅｃｈｎｏｌｏｇｙ：ｎｅｗＲＡＴ、ＮＲ）に対して説明する。
【００４３】
より多くの通信機器の大きい通信容量の要求に応じて、既存の無線アクセス技術（ｒａｄｉｏ  ａｃｃｅｓｓ  ｔｅｃｈｎｏｌｏｇｙ；ＲＡＴ）に比べて向上したモバイルブロードバンド（ｍｏｂｉｌｅ  ｂｒｏａｄｂａｎｄ）通信に対する必要性が台頭されている。また、多数の機器及びモノを連結していつでもどこでも多様なサービスを提供するマッシブＭＴＣ（ｍａｓｓｉｖｅ  Ｍａｃｈｉｎｅ  Ｔｙｐｅ  Ｃｏｍｍｕｎｉｃａｔｉｏｎｓ）も次世代通信で考慮される主要案件のうち一つである。それだけでなく、信頼度（ｒｅｌｉａｂｉｌｉｔｙ）及び遅延（ｌａｔｅｎｃｙ）に敏感なサービス／端末を考慮した通信システムデザインが論議されている。このように拡張されたモバイルブロードバンドコミュニケーション（ｅｎｈａｎｃｅｄ  ｍｏｂｉｌｅ  ｂｒｏａｄｂａｎｄ  ｃｏｍｍｕｎｉｃａｔｉｏｎ）、ｍａｓｓｉｖｅ  ＭＴＣ、ＵＲＬＬＣ（Ｕｌｔｒａ−Ｒｅｌｉａｂｌｅ  ａｎｄ  Ｌｏｗ  Ｌａｔｅｎｃｙ  Ｃｏｍｍｕｎｉｃａｔｉｏｎ）などを考慮した次世代無線アクセス技術の導入が論議されており、本発明では便宜上該当技術（ｔｅｃｈｎｏｌｏｇｙ）をｎｅｗ  ＲＡＴまたはＮＲという。
【００４４】
図４は、ＮＲが適用される次世代無線アクセスネットワーク（Ｎｅｗ  Ｇｅｎｅｒａｔｉｏｎ  Ｒａｄｉｏ  Ａｃｃｅｓｓ  Ｎｅｔｗｏｒｋ：ＮＧ−ＲＡＮ）のシステム構造を例示する。
【００４５】
図４を参照すると、ＮＧ−ＲＡＮは、端末にユーザ平面及び制御平面プロトコル終端（ｔｅｒｍｉｎａｔｉｏｎ）を提供するｇＮＢ及び／またはｅＮＢを含むことができる。図４ではｇＮＢのみを含む場合を例示する。ｇＮＢ及びｅＮＢは、相互間にＸｎインターフェースで連結されている。ｇＮＢ及びｅＮＢは、５世代コアネットワーク（５Ｇ  Ｃｏｒｅ  Ｎｅｔｗｏｒｋ：５ＧＣ）とＮＧインターフェースを介して連結されている。より具体的に、ＡＭＦ（ａｃｃｅｓｓ  ａｎｄ  ｍｏｂｉｌｉｔｙ  ｍａｎａｇｅｍｅｎｔ  ｆｕｎｃｔｉｏｎ）とはＮＧ−Ｃインターフェースを介して連結され、ＵＰＦ（ｕｓｅｒ  ｐｌａｎｅ  ｆｕｎｃｔｉｏｎ）とはＮＧ−Ｕインターフェースを介して連結される。
【００４６】
図５は、ＮＧ−ＲＡＮと５ＧＣとの間の機能的分割を例示する。
【００４７】
図５を参照すると、ｇＮＢは、インターセル間の無線リソース管理（Ｉｎｔｅｒ  Ｃｅｌｌ  ＲＲＭ）、無線ベアラ管理（ＲＢ  ｃｏｎｔｒｏｌ）、接続移動性制御（Ｃｏｎｎｅｃｔｉｏｎ  Ｍｏｂｉｌｉｔｙ  Ｃｏｎｔｒｏｌ）、無線許容制御（Ｒａｄｉｏ  Ａｄｍｉｓｓｉｏｎ  Ｃｏｎｔｒｏｌ）、測定設定及び提供（Ｍｅａｓｕｒｅｍｅｎｔ  ｃｏｎｆｉｇｕｒａｔｉｏｎ＆Ｐｒｏｖｉｓｉｏｎ）、動的リソース割当（ｄｙｎａｍｉｃ  ｒｅｓｏｕｒｃｅ  ａｌｌｏｃａｔｉｏｎ）などの機能を提供することができる。ＡＭＦは、ＮＡＳセキュリティ、アイドル状態移動性処理などの機能を提供することができる。ＵＰＦは、移動性アンカリング（Ｍｏｂｉｌｉｔｙ  Ａｎｃｈｏｒｉｎｇ）、ＰＤＵ処理などの機能を提供することができる。ＳＭＦ（Ｓｅｓｓｉｏｎ  Ｍａｎａｇｅｍｅｎｔ  Ｆｕｎｃｔｉｏｎ）は、端末ＩＰアドレス割当、ＰＤＵセッション制御などの機能を提供することができる。
【００４８】
本発明はＶ２Ｘ通信に関連したものであって、より具体的に転送ダイバーシティ基盤のＶ２Ｘ通信を遂行する端末とそうでない端末との間のＶ２Ｘ通信方法に対するものである。本発明はＮＲのＶ２Ｘ通信に焦点を合せて記述されているが、Ｖ２Ｖまたは端末間直接通信（device-to-device：Ｄ２Ｄ）など、他のシナリオにも適用できる。
【００４９】
図６は、Ｖ２ＸまたはＤ２Ｄ通信を遂行する端末を例示する。
【００５０】
図６を参照すると、Ｖ２Ｘ／Ｄ２Ｄ通信で端末（ＵＥ）という用語は主にユーザの端末を意味する。しかしながら、基地局（ｅＮＢ）のようなネットワーク装備が端末の間の通信方式によって信号を送受信する場合、やはり一種の端末と見なされることもできる。
【００５１】
端末１（ＵＥ１）は一連の資源の集合を意味する資源プール（resource pool）内で特定の資源に該当する資源単位（resource unit）を選択し、該当資源単位を使用してＤ２Ｄ信号を送信するように動作することができる。これに対する受信端末である端末２（ＵＥ２）は、端末１が信号を転送することができる資源プールの設定を受けて、該当資源プール内で端末１の信号を検出することができる。
【００５２】
ここで、端末１が基地局の連結範囲にある場合、基地局が資源プールを知らせてくれることができる。一方、端末１が基地局の連結範囲外にある場合、他の端末が資源プールを知らせてくれるか、または事前に定まった資源に決定されることもできる。
【００５３】
一般的に資源プールを複数の資源単位で構成され、各端末は１つまたは複数の資源単位を選定して自身のＤ２Ｄ信号送信に使用することができる。
【００５４】
図７は、Ｖ２Ｘ／Ｄ２Ｄ関連した転送モード（transmission mode：ＴＭ）に従う端末動作を例示する。
【００５５】
図７（ａ）は転送モード１、３に対するものであり、図７（ｂ）は転送モード２、４に対するものである。転送モード１／３では、基地局が端末１にＰＤＣＣＨ（より具体的にＤＣＩ）を介して資源スケジューリングを遂行し、端末１は該当資源スケジューリングによって端末２とＤ２Ｄ／Ｖ２Ｘ通信を遂行する。端末１は端末２にＰＳＣＣＨ（physical sidelink control channel）を介してＳＣＩ（sidelink control information）を転送した後、前記ＳＣＩに基づいたデータをＰＳＳＣＨ（physical sidelink shared channel）を介して転送することができる。転送モード１はＤ２Ｄに、転送モード３はＶ２Ｘに適用できる。
【００５６】
転送モード２／４は、端末が自らスケジューリングするモードということができる。より具体的に、転送モード２はＤ２Ｄに適用され、設定された資源プール内で端末が資源を自ら選択して、Ｄ２Ｄ動作を遂行することができる。転送モード４はＶ２Ｘに適用され、センシング／ＳＡデコーディング過程などを経て選択ウィンドウ内で端末が自ら資源を選択した後、Ｖ２Ｘ動作を遂行することができる。端末１は端末２にＰＳＣＣＨを介してＳＣＩを転送した後、前記ＳＣＩに基づいたデータをＰＳＳＣＨを介して転送することができる。以下、転送モードをモードと略称することができる。
【００５７】
基地局がＰＤＣＣＨを介して端末に転送する制御情報をＤＣＩ（downlink control information）と称することに反して、端末がＰＳＣＣＨを介して他の端末に転送する制御情報をＳＣＩと称することができる。ＳＣＩはサイドリンクスケジューリング情報を伝達することができる。ＳＣＩにはいろいろなフォーマットがありうるが、例えば、ＳＣＩフォーマット０とＳＣＩフォーマット１がありうる。
【００５８】
ＳＣＩフォーマット０はＰＳＳＣＨのスケジューリングのために使われることができる。ＳＣＩフォーマット０には、周波数ホッピングプラグ（１ビット）、資源ブロック割り当て及びホッピング資源割り当てフィールド（サイドリンクの資源ブロック個数によってビット数が変わることができる）、時間資源パターン（time resource pattern、７ビット）、ＭＣＳ（modulation and coding scheme、５ビット）、時間アドバンス指示（time advance indication、１１ビット）、グループ目的地ＩＤ（group destination ID、８ビット）などを含むことができる。
【００５９】
ＳＣＩフォーマット１はＰＳＳＣＨのスケジューリングのために使われることができる。ＳＣＩフォーマット１には、優先権（priority、３ビット）、資源留保（resource reservation、４ビット）、初期転送及び再転送の周波数資源位置（サイドリンクのサブチャンネル個数によってビット数が変わることがある）、初期転送と再転送との間の時間ギャップ（time gap between initial transmission and retransmission、４ビット）、ＭＣＳ（５ビット）、再転送インデックス（１ビット）、留保された情報ビット（reserved informationbit）などを含む。留保された情報ビットを以下、留保されたビットと略称することができる。留保されたビットはＳＣＩフォーマット１のビットサイズが３２ビットになるまで追加できる。即ち、ＳＣＩフォーマット１は互いに異なる情報を含む複数のフィールドを含むが、前記ＳＣＩフォーマット１の固定された総ビット個数（３２ビット）で前記複数のフィールドの総ビット個数を除外した残りの個数のビットを留保されたビットと称することができる。
【００６０】
ＳＣＩフォーマット０は転送モード１、２に使われることができ、ＳＣＩフォーマット１は転送モード３、４に使われることができる。
【００６１】
図８は、資源単位の構成例を示す。
【００６２】
図８を参照すると、資源プールの全体周波数資源がＮＦ個に分割されることができ、資源プールの全体時間資源がＮＴ個に分割されて、資源プール内で総ＮＦ＊ＮＴ個の資源単位が定義できる。
【００６３】
ここでは、該当資源プールがＮＴサブフレームを周期で反復される場合を例示している。
【００６４】
１つの資源単位（例えば、Ｕｎｉｔ＃０）は図８に示すように、周期的に反復して表れることができる。または、時間や周波数次元でのダイバーシティ（diversity）効果を得るために、１つの論理的な資源単位がマッピングされる物理的資源単位のインデックスが時間によって事前に定まったパターンに変化することもできる。このような資源単位構造において、資源プールとは、Ｄ２Ｄ信号を送信しようとする端末が送信に使用できる資源単位等の集合を意味することができる。
【００６５】
資源プールはいろいろな種類に細分化できる。例えば、各資源プールで転送されるＤ２Ｄ信号の内容（content）によって区分できる。各資源プールは次と区分されることができ、各々の資源プールで次のＤ２Ｄ信号の内容は転送できる。
【００６６】
１）スケジューリング割り当て（Scheduling assignment：ＳＡ）資源プールまたはＤ２Ｄ（sidelink）制御チャンネル：各送信端末が、後行するか、または同一なサブフレームで転送されるＤ２Ｄデータチャンネルの資源位置及びその他のデータチャンネルの復調のために必要な情報（例：変調及びコーディング技法（modulation and coding scheme：ＭＣＳ）やＭＩＭＯ転送方式、タイミングアドバンス（timing advance）などの情報）を含む信号を転送する資源プール。
【００６７】
前記１）で説明した信号は、同一資源単位上でＤ２Ｄデータと共に多重化（multiplex）されて転送できる。この場合、ＳＡ資源プールとは、ＳＡがＤ２Ｄデータと多重化されて転送される資源プールを意味することができる。ＳＡ資源プールはＤ２Ｄ（sidelink）制御チャンネルと称されることもできる。
【００６８】
２）Ｄ２Ｄデータチャンネル：ＳＡを通じて指定された資源を使用して送信端末がユーザデータを転送することに使用する資源プール。もし、同一資源単位上でＤ２ＤデータとＳＡ情報が共に多重化されて転送されることも可能な場合には、Ｄ２Ｄデータチャンネルのための資源プールではＳＡ情報を除外した形態のＤ２Ｄデータチャンネルのみ転送される形態になることができる。言い換えると、ＳＡ資源プール内の個別資源単位上でＳＡ情報を転送することに使われた資源要素（resource element）をＤ２Ｄデータチャンネル資源プールでは相変らずＤ２Ｄデータを転送することに使用するものである。
【００６９】
３）ディスカバリーチャンネル（Discovery channel）：送信端末が自身のＩＤ（identity）などの情報を転送して、隣接端末をして自身を発見することができるようにするメッセージのための資源プール。
【００７０】
以上で説明したＤ２Ｄ信号の内容が同一な場合にも、Ｄ２Ｄ信号の送受信属性によって相異する資源プールを使用することができる。一例に、同一なＤ２ＤデータチャンネルやディスカバリーメッセージとしでもＤ２Ｄ信号の送信タイミング決定方式（例えば、動機基準信号の受信時点で送信されるか、でなきれば、前記受信時点で一定のタイミングアドバンスを適用して転送されるか）や資源割り当て方式（例えば、個別信号の転送資源を基地局が個別送信端末に指定してくれるか、でなければ個別送信端末が資源プール内で自体的に個別信号転送資源を選択するか）、信号フォーマット（例えば、各Ｄ２Ｄ信号が１つのサブフレームで占めるシンボルの個数や、１つのＤ２Ｄ信号の転送に使われるサブフレームの個数）、基地局からの信号強さ、Ｄ２Ｄ端末の送信電力強さなどに従って、また相異する資源プールに区分されることもできる。
【００７１】
前述したように、Ｄ２Ｄ通信で基地局がＤ２Ｄ送信端末の送信資源を直接指示する方法をモード１（Mode１）、転送資源領域が事前に設定されているか、または基地局が転送資源領域を指定し、端末が直接送信資源を選択する方法をモード２（Mode２）と称することができる。
【００７２】
Ｄ２Ｄ発見（discovery）の場合には、基地局が直接資源を指示する場合にはタイプ２（Type２）、事前に設定された資源領域または基地局が指示した資源領域で端末が直接転送資源を選択する場合はタイプ１（Type１）と称することができる。
【００７３】
一方、前記Ｄ２Ｄはサイドリンク（sidelink）と称されることもできる。ＳＡは物理サイドリンク制御チャンネル（physical sidelink control channel：ＰＳＣＣＨ）、Ｄ２Ｄ同期信号（D2D synchronization signal）はサイドリンク同期信号（sidelink synchronization signal：ＳＳＳ）と称することもできる。Ｄ２Ｄ通信の以前に、最も基本的な情報を転送する制御チャンネルを物理サイドリンク放送チャンネル（Physical sidelink broadcast channel：ＰＳＢＣＨ）と称し、ＰＳＢＣＨはＳＳＳと共に転送されることができ、または他の名称でＰＤ２ＤＳＣＨ（Physical D2D synchronization channel）と称することもできる。特定端末が自身が周辺にいることを知らせるための信号には前記特定端末のＩＤが含まれていることができ、このような信号が転送されるチャンネルを物理サイドリンクディスカバリーチャンネル（physical sidelink discovery channel：ＰＳＤＣＨ）と称することができる。
【００７４】
Ｄ２Ｄでは、Ｄ２Ｄ通信端末のみＰＳＢＣＨをＳＳＳと共に転送しており、これによって、ＳＳＳの測定はＰＳＢＣＨのＤＭＲＳ（demodulation reference signal）を用いて遂行した。カバレッジ外側の（out-coverage）の端末はＰＳＢＣＨのＤＭＲＳを測定し、この信号のＲＳＲＰ（reference signal received power）などを測定して自身が同期化ソース（synchronization source）になるか否かを決定することができる。
【００７５】
以下では、サイドリンクＲＳＳＩ（Sidelink Received Signal Strength Indicator；Ｓ−ＲＳＳＩ）、ＰＳＳＣＨ参照信号受信電力（PSSCH ReferenceSignal Received Power；ＰＳＳＣＨ−ＲＳＲＰ）、チャンネル混雑比率（CHANNEL BUSY RATIO；ＣＢＲ）、チャンネル占有比率（CHANNEL OCCUPANCY RATIO；ＣＲ）に対して説明する。
【００７６】
＜Ｓ−ＲＳＳＩ＞
【００７７】
サイドリンクＲＳＳＩ（Ｓ−ＲＳＳＩ）はサブフレームの最初のスロットの１、２、．．．、６  ＳＣ−ＦＤＭＡシンボル及び２番目のスロットの０、１、．．．、５  ＳＣ−ＦＤＭＡで設定されたサブチャンネルのみで端末により観測されたＳＣ−ＦＤＭＡ当たり全体受信された電力（［Ｗ］単位）の線形平均（linear average）として定義できる（Sidelink RSSI (S-RSSI) may be defined as the linear average of the total received power (in [W]) per SC-FDMA symbol observed by the UE only in the configured sub-channelin SC-FDMA symbols 1, 2, ..., 6 of the first slot and SC-FDMA symbols 0,1,..., 5 of the second slot of a subframe）。
【００７８】
ここで、Ｓ−ＲＳＳＩのレファレンスポイントは端末のアンテナコネクタでありうる。
【００７９】
仮に、レシーバーダイバーシティが端末により使われる場合、報告された値は任意の個別ダイバーシティブランチの対応するＳ−ＲＳＳＩより低くないことがある。
【００８０】
Ｓ−ＲＳＳＩはＲＲＣ＿ＩＤＬＥイントラ周波数、ＲＲＣ＿ＩＤＬＥインター周波数、ＲＲＣ＿ＣＯＮＮＥＣＴＥＤイントラ周波数、及び／又はＲＲＣ＿ＣＯＮＮＥＣＴＥＤインター周波数で適用できる。
【００８１】
＜ＰＳＳＣＨ−ＲＳＲＰ＞
【００８２】
ＰＳＳＣＨ−ＲＳＲＰは関連したＰＳＣＣＨ（PhysicalSidelink Control Channel）により指示されたＰＲＢ（Physical Resource Block）内で、ＰＳＳＣＨと関連した復調基準信号を運搬する資源要素の電力寄与分（［Ｗ］単位）に対する線形平均として定義できる（PSSCH Reference Signal Received Power (PSSCH-RSRP) may be defined as the linear average over the power contributions (in [W]) of the resource elements that carry demodulation reference signals associated with PSSCH, within the PRBs indicated by the associated PSCCH）。
【００８３】
ここで、ＰＳＳＣＨ−ＲＳＲＰに対するレファレンスポイントは端末のアンテナコネクタでありうる。
【００８４】
仮に、レシーバーダイバーシティが端末により使われる場合、報告された値は任意の個別ダイバーシティブランチの対応するＰＳＳＣＨ−ＲＳＲＰより低くないことがある。
【００８５】
ＰＳＳＣＨ−ＲＳＲＰは、ＲＲＣ＿ＩＤＬＥイントラ周波数、ＲＲＣ＿ＩＤＬＥインター周波数、ＲＲＣ＿ＣＯＮＮＥＣＴＥＤイントラ周波数、及び／又はＲＲＣ＿ＣＯＮＮＥＣＴＥＤインター周波数で適用できる。
【００８６】
ここで、資源要素当たり電力はＣＰを除外した、シンボルの有用な部分で受信されたエネルギーから決定できる。
【００８７】
＜チャンネル混雑比率（CHANNEL BUSY RATIO；ＣＢＲ）＞
【００８８】
サブフレームｎで測定されたＣＢＲは以下の通り定義できる。
【００８９】
ＣＢＲは、ＰＳＳＣＨに対して、サブフレーム［ｎ−１００、ｎ−１］の間、端末により測定されたＳ−ＲＳＳＩが既設定されたしきい値を超えると感知されたリソースプールでのサブチャンネルのポーション（Portion）を意味することができる。
【００９０】
ＣＢＲは、ＰＳＳＣＨに対して、ＰＳＣＣＨ（Physical Sidelink Control Channel）がＰＳＣＣＨに対応するＰＳＳＣＨと共に隣接しない資源ブロックで転送できるように設定されたプールで、サブフレーム［ｎ−１００、ｎ−１］の間、端末により測定されたＳ−ＲＳＳＩが既設定されたしきい値を超えると感知されたリソースプールでのサブチャンネルのポーション（portion）を意味することができる。ここで、ＰＳＣＣＨプールが周波数ドメインで２つの連続的なＰＲＢ（Physical Resource Block）対のサイズを有する資源で構成されると仮定することができる。
【００９１】
ＣＢＲは、ＲＲＣ＿ＩＤＬＥイントラ周波数、ＲＲＣ＿ＩＤＬＥインター周波数、ＲＲＣ＿ＣＯＮＮＥＣＴＥＤイントラ周波数、及び／又はＲＲＣ＿ＣＯＮＮＥＣＴＥＤインター周波数で適用できる。
【００９２】
ここで、サブフレームインデックスは物理的サブフレームインデックス（Physical Subframe Index）に基づくことができる。
【００９３】
＜チャンネル占有比率（CHANNEL OCCUPANCY RATIO；ＣＲ）＞
【００９４】
サブフレームｎで評価されたＣＲは以下の通り定義できる。
【００９５】
サブフレーム［ｎ−ａ、ｎ−１］で、そしてサブフレーム［ｎ、ｎ＋ｂ］で許可された（granted）、端末の転送に使われるサブチャンネルの個数を、［ｎ−ａ、ｎ＋ｂ］の間、転送プールで設定されたサブチャンネルの個数で割ったことを意味することができる。
【００９６】
ＣＲは、ＲＲＣ＿ＩＤＬＥイントラ周波数、ＲＲＣ＿ＩＤＬＥインター周波数、ＲＲＣ＿ＣＯＮＮＥＣＴＥＤイントラ周波数、及び／又はＲＲＣ＿ＣＯＮＮＥＣＴＥＤインター周波数で適用できる。
【００９７】
ここで、ａは正の整数でありえ、ｂは０または正の整数を意味することができる。ａ及びｂは端末により決定されることができ、この際、‘ａ＋ｂ＋１＝１０００’、‘ａ＞＝５００’、‘ｎ＋ｂは現在転送に対する許可の最終転送機会を超えないこと（n+b should not exceed the last transmission opportunity of the grant for the currenttransmission）’を満たすことができる。
【００９８】
ここで、ＣＲは各々の（再）転送に対して評価できる。
【００９９】
ここで、ＣＲを評価する時、端末はサブフレームｎで使われる転送パラメータがパケットドロップ無しでサブフレーム［ｎ＋１、ｎ＋ｂ］での既存許可によって再使用できると仮定することができる。
【０１００】
ここで、サブフレームインデックスは物理的サブフレームインデックスに基づくことができる。
【０１０１】
ここで、ＣＲは優先順位レベル毎に計算できる。
【０１０２】
以下、本発明に対してより詳細に説明する。
【０１０３】
現在、Ｖ２Ｘ通信で転送ダイバーシティの導入有無が論議されている。例えば、特定Ｖ２Ｘ資源プールに対して前記資源プール内で転送ダイバーシティ許容有無がネットワークにより決定（そして／またはシグナリング）されることができ、転送ダイバーシティが許容されれば、各端末は転送ダイバーシティ基盤のＶ２Ｘ通信有無を決定することができる。
【０１０４】
ここで、転送ダイバーシティ基盤のＶ２Ｘ通信を遂行する端末とそうでない端末が共存するＶ２Ｘ資源プールで、転送ダイバーシティ基盤のＶ２Ｘ通信を遂行しない端末（例えば、レガシー端末など）のデコーディング（そして／またはセンシング）性能を保障するために、ＰＳＳＣＨ転送に対してのみ転送ダイバーシティ技法が適用可能に設定できる。即ち、ＰＳＣＣＨに対しては転送ダイバーシティ技法が適用されないことがあり、ＰＳＣＣＨに対しては既存のフォーマットが使用（そして／またはＰＳＣＣＨに対しては事前に設定（／シグナリング）された特定転送ダイバーシティ技法が使用（例えば、ＣＤＤ（Cyclic Delay Diversity）のみ使用））できる。
【０１０５】
これによって、転送ダイバーシティ基盤のＶ２Ｘ通信を遂行しようとする端末とそうでない端末（例、レガシー端末）との間の資源衝突を防止するために、端末のセンシング、ＰＳＳＣＨ参照信号受信電力（PSSCH Reference Signal Received Power；ＰＳＳＣＨ−ＲＳＲＰ）測定及びパワーブースティング（Power Boosting）など、追加的な情報乃至動作が必要でありうる。
【０１０６】
ここに、本発明ではＶ２Ｘ通信での転送ダイバーシティの導入を考慮した端末の信号受信電力測定方法及び前記方法を用いる端末を提供しようとする。
【０１０７】
一例に、以下の提案方式は事前に設定（／シグナリング）されたＶ２Ｘ資源プール上で、転送ダイバーシティ（TX DIVERSITY；ＴＸＤ）基盤のＶ２Ｘメッセージ転送動作を遂行する端末（ＭＡＰ＿ＵＥ）と、そうでない端末（例えば、シングルアンテナポート（SINGLE ANTENNA PORT；ＳＩＮＧＬＥ  ＡＰ）基盤の転送動作）（そして／またはＭＡＰ＿ＵＥに比べて、相対的に少ない個数のＡＰ基盤の転送動作を遂行する端末）（ＳＡＰ＿ＵＥ）が共存する場合、ＳＡＰ＿ＵＥがＭＡＰ＿ＵＥを効率よくセンシング（／検出）するようにする方法（そして／または他の端末がＴＸＤ基盤のチャンネル（例、ＰＳＳＣＨ）転送を遂行するか否かを効率よく把握するようにする方法）を提示する。ここで、一例に、本発明で“ＴＸＤ”ワーディングは“（事前に設定（／シグナリング）された）複数個のアンテナポート（ANTENNA PORT：ＡＰ）基盤の転送動作”（例えば、空間周波数ブロックコーディング（Space Frequency Block Coding；ＳＦＢＣ）、空間時間ブロックコーディング（Space Time Block Coding；ＳＴＢＣ）、アンテナポート（ＡＰ）（／シンボル（SYMBOL））別プリコーディングサイクリング（PRECODING CYCLING）（／ランダムビームフォーミング（RANDOM BEAMFORMING））など）と解釈されることもできる。ここで、一例に、複数個のＡＰ基盤のＴＸＤ動作が遂行される場合、相異するＡＰ間のパワー分割は（Ａ）（常に）均等に遂行されるか、そして／または（Ｂ）事前に設定（／シグナリング）された（ＡＰ間の）パワー分割比率によって遂行されることもできる。ここで、一例に、本発明で“ＳＡＰ_ＵＥ”ワーディングはＳＩＮＧＬＥ  ＡＰ基盤の転送動作そして／またはセンシング動作を遂行する既存（レガシー；LEGACY）端末（ＲＥＬ−１４）と解析されることもできる。ここで、一例に、本発明で“センシング動作”ワーディングは（デコーディング成功したＰＳＣＣＨ（Physical Sidelink Control Channel）がスケジューリングする）ＰＳＳＣＨ（Physical Sidelink Shared Channel）ＤＭ−ＲＳ（demodulation reference signal）シーケンス（SEQUENCE）基盤のＰＳＳＣＨ参照信号受信電力（ＰＳＳＣＨ−ＲＳＲＰ）測定動作そして／または（Ｖ２Ｘ資源プール関連サブチャンネル基盤の）サイドリンクＲＳＳＩ（Sidelink Received Signal Strength Indicator；Ｓ−ＲＳＳＩ）測定動作などとして解析されることもできる。
【０１０８】
ここで、一例に、以下（一部）の提案方式は（Ａ）事前に設定（／シグナリング）されたＡＰ個数（例えば、“１”）そして／またはＡＰインデックス（／番号）（例えば、ＳＡＰ＿ＵＥが使用するＡＰインデックス（／番号））がＳＡＰ＿ＵＥとＭＡＰ＿ＵＥとの間に共有される場合、そして／または（Ｂ）（ＳＡＰ＿ＵＥの（ＭＡＰ＿ＵＥに対する）ＰＳＳＣＨ−ＲＳＲＰ（そして／またはＳ−ＲＳＳＩ）測定動作のために）ＭＡＰ＿ＵＥが（少なくともＳＡＰ＿ＵＥと共有されるＡＰインデックス（／番号）上では）ＳＡＰ＿ＵＥの（既存（ＲＥＬ−１４））参照信号（Reference Signal；ＲＳ）（例えば、ＤＭ−ＲＳ）シーケンス（SEQUENCE）（／直交カバーコード（Orthogonal Cover Code；ＯＣＣ））マッピング（／生成）規則を（再）使用する場合、そして／または（Ｃ）ＭＡＰ＿ＵＥがＳＡＰ＿ＵＥと共有されない（残りの）ＡＰインデックス（／番号）上で（ＳＡＰ＿ＵＥと共有されるＡＰインデックス（／番号）上でのＲＳと）“コード分割多重化（Code Division Multiplexing；ＣＤＭ）”形態に追加的なＲＳを転送する場合（例えば、同一（物理（PHYSICAL））シンボル（／資源）上で複数個のＡＰ関連ＤＭ−ＲＳを“ＣＤＭ”形態に転送すること）のみに限定的に適用されることもできる。
【０１０９】
ここで、一例に、特に、（Ｃ）の規則が適用される場合、相異するＡＰ関連ＲＳを（一部または全て）他のシンボル（／資源）上にマッピングすることに比べて、（ＲＳ）オーバーヘッドを減らすことができる。
【０１１０】
ここで、例えば、転送ダイバーシティ基盤のＶ２Ｘ通信を遂行する端末とそうでない端末（例えば、レガシー端末など）間の（センシング基盤の）資源衝突を防止するためには、最小限これらの間に共有されるアンテナポート上で、転送ダイバーシティ基盤のＶ２Ｘ通信を遂行する端末がそうでない端末（例えば、レガシー端末など）と同一な原理／方法によりＤＭＲＳシーケンスを生成させなければならない。即ち、これを通じて、転送ダイバーシティ基盤のＶ２Ｘ通信を遂行しない端末（例えば、レガシー端末など）が、少なくとも該当アンテナポート上で（前記シーケンスに基づいた）ＲＳＲＰ測定が可能になる。そうでなければ、転送ダイバーシティ基盤のＶ２Ｘ通信を遂行しない端末（例えば、レガシー端末など）は、転送ダイバーシティ基盤のＶ２Ｘ通信を遂行する端末が選択した資源を（センシング基盤に）効率よく排除することができない。
【０１１１】
図９は、本発明の一実施形態に従う、信号受信電力測定方法のフローチャートである。
【０１１２】
図９によれば、端末が設定を受けたＶ２Ｘ資源プール上で転送ダイバーシティ共存有無、前記端末が信号受信電力を測定しようとする他の端末の転送ダイバーシティモードにより使用するアンテナポート個数、前記他の端末の転送ダイバーシティ技法種類のうち、少なくともいずれか１つを含む情報を受信することができる（Ｓ９１０）。
【０１１３】
言い換えると、Ｖ２Ｘ資源プール上で転送ダイバーシティ基盤のＶ２Ｘメッセージ転送動作を遂行する端末と、転送ダイバーシティを使用せず、Ｖ２Ｘメッセージ転送動作を遂行する端末が共存する場合、転送ダイバーシティ技法を使用しない端末が転送ダイバーシティ基盤のＶ２Ｘメッセージ転送動作を遂行する端末を効率よくセンシングまたは検出するようにするために、Ｖ２Ｘ資源プール設定情報そして／またはＰＳＣＣＨ上に（新しく）定義されたフィールドに転送ダイバーシティモード共存有無情報、転送ダイバーシティモードにより使われるアンテナポートの個数に対する情報、転送ダイバーシティ技法種類に対する情報のうち、少なくともいずれか１つの情報が（追加的に）含まれるようにすることができる。
【０１１４】
以後、前記情報に基づいて転送ダイバーシティ基盤のＶ２Ｘ転送動作を遂行する特定端末をセンシングまたは検出することができる（Ｓ９２０）。
【０１１５】
以後、前記特定端末に対するＰＳＳＣＨ参照信号受信電力（PSSCH Reference Signal Received Power；ＰＳＳＣＨ−ＲＳＲＰ）を測定することができる（Ｓ９３０）。
【０１１６】
ここで、前記少なくともいずれか１つに対する情報はＶ２Ｘ資源プール設定情報またはＰＳＣＣＨに定義されたフィールドに含まれることができる。
【０１１７】
また、ここで、レガシー端末との互換を考慮して、前記転送ダイバーシティを使用せず、Ｖ２Ｘ通信を遂行する端末が前記情報を、前記転送ダイバーシティ基盤のＶ２Ｘメッセージ転送動作を遂行する端末からＰＳＣＣＨの留保されたビット（reserved bits）を用いて受信することができる。
【０１１８】
また、ここで、前記端末及び前記特定端末は同一なＶ２Ｘ資源プール上に存在することができる。
【０１１９】
また、ここで、前記端末は前記端末のＶ２Ｘ転送に使われるアンテナポートで測定されたＰＳＳＣＨ  ＲＳＲＰ値を事前に設定されたオフセットだけ増加させることができる。
【０１２０】
また、ここで、前記端末は前記特定端末により使われる複数個のアンテナポート上で各々ＰＳＳＣＨ  ＲＳＲＰを測定し、前記測定された値を組み合せて最終ＰＳＳＣＨ  ＲＳＲＰを決定することができる。
【０１２１】
また、ここで、前記特定端末は事前に設定された範囲内のＰＰＰＰ（Prose Per Packet Priority）（そして／または該当ＰＰＰＰに連動されたＰＳＳＣＨ−ＲＳＲＰ）を有することができる。
【０１２２】
また、ここで、前記特定端末は事前に設定されたしきい値より低いチャンネル混雑比率（CHANNEL BUSY RATIO；ＣＢＲ）が測定できる。
【０１２３】
また、ここで、前記Ｖ２Ｘ資源プールは転送ダイバーシティ基盤のＶ２Ｘ通信が許容されないＶ２Ｘ資源プールと独立的に（または、分離されて）設定できる。
【０１２４】
また、ここで、前記Ｖ２Ｘ資源プール上にはＰＳＳＣＨ転送に対してのみ転送ダイバーシティが適用可能でありうる。このようにすることによって、ＰＳＣＣＨに対しては既存のフォーマットを使用してレガシー端末のＰＳＣＣＨに対する接近性を高めて、レガシー端末のセンシング性能、そして／またはデコーディング性能などを保障するようにすることができる。
【０１２５】
また、ここで、前記特定端末は事前に設定された速度範囲内の端末でありうる。
【０１２６】
また、ここで、前記端末は前記特定端末が生成する復調参照信号（demodulation reference signal；ＤＭＲＳ）シーケンスに基づいてＰＳＳＣＨ−ＲＳＲＰを測定し、かつ前記特定端末が生成する復調参照信号（demodulation reference signal；ＤＭＲＳ）シーケンスは前記端末がＤＭＲＳシーケンスを生成する方法と同一な方法により生成できる。
【０１２７】
以下、前述した端末のＶ２Ｘ通信方法の実施形態に対するより具体的な説明を叙述する。
【０１２８】
［提案方法］一例に、ＳＡＰ＿ＵＥ（そして／またはＭＡＰ＿ＵＥ）をして、以下（一部）規則によって、自身が転送（／センシング）動作を遂行するＶ２Ｘ資源プール上にＭＡＰ＿ＵＥが存在（／共存）すること（そして／または、複数個のＡＰ基盤のＴＸＤ  ＭＯＤＥが許容される）を把握するようにするか、または他の端末がＴＸＤ基盤のチャンネル（例、ＰＳＳＣＨ）転送を遂行するか否かを把握するようにすることができる。
【０１２９】
ここで、一例に、（ＳＡＰ＿ＵＥとＭＡＰ＿ＵＥが共存する）該当Ｖ２Ｘ資源プール上には（ＭＡＰ＿ＵＥに）ＰＳＳＣＨ（そして／またはＰＳＣＣＨ）転送のみにＴＸＤ技法が（限定的に）適用可能に設定（／シグナリング）されることもできる。
【０１３０】
（例示＃１）一例に、（Ａ）Ｖ２Ｘ資源プール設定情報、そして／またはＰＳＣＣＨ上に（新しく）定義されたフィールド（そして／または、ＰＳＳＣＨ上に含まれた（エンベデッド（EMBEDDED））情報）などを通じて、以下（一部）の情報が追加的にシグナリングできる。
【０１３１】
−ＴＸＤ  ＭＯＤＥ（または、ＭＡＰ＿ＵＥ）か否かの情報（そして／または、（該当Ｖ２Ｘ資源プール上での）ＴＸＤ  ＭＯＤＥ許容（または、ＭＡＰ＿ＵＥの存在（／共存））有無情報）
【０１３２】
−ＴＸＤ  ＭＯＤＥ（または、ＭＡＰ＿ＵＥ）により使われる（転送パワーが（均等）分割割り当てられる）ＡＰ個数（そして／または、番号（／インデックス））情報（そして／または、ＴＸＤ  ＯＲＤＥＲそして／またはＴＸＤ  ＭＯＤＥ（または、ＭＡＰ＿ＵＥ）により使われるＡＰ間のパワー分割比率情報）
【０１３３】
−（使われる）ＴＸＤ技法種類（例えば、ＳＴＢＣ、PRECODING CYCLING（／RANDOM BEAMFORMING）など）情報（そして／または（該当Ｖ２Ｘ資源プール上で）許容されたＴＸＤ技法種類情報）
【０１３４】
ここで、一例に、（追加的に）ＴＸＤ関連シンボルペアリング情報そして／またはプリコーディング（／ビーム）（そして／またはＡＰ）（インデックス）が（順次（CYCLIC）に）変更（／マッピング）されるシンボル（グループ）単位情報などがシグナリングされることもできる。
【０１３５】
また、一例に、（前記説明した（例示＃１）によって）ＳＡＰ＿ＵＥが（同一Ｖ２Ｘ資源プール上で）ＴＸＤ  ＭＯＤＥ基盤の転送動作を遂行する端末（例えば、ＭＡＰ＿ＵＥ）を検出（／把握）した場合、以下（一部）の規則によって、（該当ＭＡＰ＿ＵＥ関連）ＰＳＳＣＨ−ＲＳＲＰ（そして／または、Ｓ−ＲＳＳＩ）測定動作を遂行するようにすることができる。
【０１３６】
ここで、一例に、以下の規則が適用される場合、ＳＡＰ＿ＵＥがＭＡＰ＿ＵＥ関連ＰＳＳＣＨ−ＲＳＲＰ（そして／または、Ｓ−ＲＳＳＩ）測定値を効率よく導出（／補償）して、相互間の（資源選択）衝突を避けることができる。
【０１３７】
（例示＃２）一例に、（ＴＸＤ  ＭＯＤＥ（または、ＭＡＰ＿ＵＥ）により使われるＡＰ個数（そして／または、ＴＸＤ  ＯＲＤＥＲ）が“Ｋ”の時）ＳＡＰ＿ＵＥをして自身の転送に使われる（１つの）ＡＰ番号（／インデックス）（例えば、ＳＡＰ＿ＵＥとＭＡＰ＿ＵＥとの間に共有されるＡＰ番号（／インデックス））上で測定された（該当ＭＡＰ＿ＵＥ関連）ＰＳＳＣＨ−ＲＳＲＰ（そして／または、Ｓ−ＲＳＳＩ）測定値を事前に設定（／シグナリング）オフセット（例えば、“１０＊ＬＯＧ１０（Ｋ）”［ＤＢ］）だけバイアス（BIAS）（または、ブースティング（BOOSTING））させるようにすることもできる。
【０１３８】
言い換えると、転送ダイバーシティ基盤のＶ２Ｘ通信を遂行する端末は、複数個のアンテナポートを用いて転送動作を遂行するので、転送電力が複数個のアンテナポートの間に分割／共有されざるを得ない。したがって、該当複数個のアンテナポートのうち、一部（または、１つ）のみを用いて、（転送ダイバーシティを使用せず）Ｖ２Ｘメッセージ転送動作及びＰＳＳＣＨ−ＲＳＲＰ測定動作を遂行する端末は、転送ダイバーシティ基盤のＶ２Ｘ通信を遂行する端末に対するＰＳＳＣＨ−ＲＳＲＰ測定値を相対的に小さな値と見るようになる。これを補償するために、転送ダイバーシティを使用せず、Ｖ２Ｘ通信を遂行する端末は、転送ダイバーシティ基盤のＶ２Ｘ通信を遂行する端末に対するＰＳＳＣＨ−ＲＳＲＰを測定する場合、自身が使用するアンテナポート上で測定された値で、事前に設定されたオフセットだけ増加させることができる。
【０１３９】
（例示＃３）一例に、ＳＡＰ＿ＵＥをして、（該当）ＴＸＤ  ＭＯＤＥ（または、ＭＡＰ＿ＵＥ）により使われる複数個のＡＰ番号（／インデックス）上で（または、相異する（ＲＳ）ＣＳ／ＯＣＣに対して）、各々ＰＳＳＣＨ−ＲＳＲＰ（そして／またはＳ−ＲＳＳＩ）測定を（独立的に）遂行するようにすることもできる。
【０１４０】
ここで、一例に、該当過程を通じて、獲得された複数個の（ＡＰ番号（／インデックス）（または、（ＲＳ）ＣＳ／ＯＣＣ）関連）ＰＳＳＣＨ−ＲＳＲＰ（そして／または、Ｓ−ＲＳＳＩ）測定値を事前に定義された規則によって組合せ（例えば、“（ＡＰ別加重値基盤の）和（／平均）”）させて、最終測定値を導出するようにすることもできる。
【０１４１】
言い換えると、（例示＃２）とは異なり、転送ダイバーシティを使用せず、Ｖ２Ｘ通信を遂行する端末が転送ダイバーシティ基盤のＶ２Ｘ通信を遂行する端末に対するＰＳＳＣＨ−ＲＳＲＰを測定する場合、一旦、各アンテナポートに対してＰＳＳＣＨ−ＲＳＲＰの測定後、各々の測定値を組み合せて最終的な測定値を決定することができる。
【０１４２】
また、一例に、ＴＸＤ  ＭＯＤＥ基盤の転送動作を遂行する端末（例えば、ＭＡＰ＿ＵＥ）の場合、（ＳＡＰ＿ＵＥに比べて）以下の（一部または全ての）センシング／転送パラメータが相異するように設定（／シグナリング）されることもできる。ここで、一例に、下記（一部）の規則が適用される場合、ＴＸＤ  ＭＯＤＥ基盤の転送動作を遂行する端末（例えば、ＭＡＰ＿ＵＥ）が（特に）同一Ｖ２Ｘ資源プール上の既存（ＲＥＬ−１４）端末に及ぼす影響（例えば、ＰＳＳＣＨ−ＲＳＲＰ測定基盤の資源候補排除動作など）を（最大限）減少させることもできる。
【０１４３】
−（Ｖ２Ｘメッセージ関連）ＰＰＰＰ（Prose Per Packet Priority）値（／範囲）（例えば、ＭＡＰ＿ＵＥがＳＡＰ＿ＵＥに比べて、相対的に低い（または、高い）ＰＰＰＰ値（／範囲）を選択するようにすることによって、相対的にＳＡＰ＿ＵＥ（または、ＭＡＰ＿ＵＥ）の転送を保護してくれることができる。ここで、一例に、低い（または、高い）ＰＰＰＰ値（／範囲）基盤の転送は、他の端末が該当転送に使われている資源の選択可能（または、ＩＤＬＥ／ＢＵＳＹ）有無を判断する時、相対的に低い（または、高い）ＰＳＳＣＨ−ＲＳＲＰしきい値と判断するようになることを意味する。）（そして／またはＰＰＰＰ値（／範囲）に連動されたＰＳＳＣＨ−ＲＳＲＰしきい値（例えば、同一ＰＰＰＰ値（／範囲）といっても、ＭＡＰ＿ＵＥにＳＡＰ＿ＵＥに比べて、相対的に低い（または、高い）ＰＳＳＣＨ−ＲＳＲＰしきい値を設定（／シグナリング）してくれることによって、相対的にＳＡＰ＿ＵＥ（または、ＭＡＰ＿ＵＥ）の転送を保護することができる。））
【０１４４】
−センシング動作遂行区間（／周期）そして／または候補（転送）資源を選択することができる区間（セレクションウィンドウ（SELECTION WINDOW））そして／または（再）選択（／予約）した資源の維持区間を定めるためにランダム値を選定する（または、選ぶ）範囲（そして／または（Ｃ＿ＲＥＳＥＬ値の導出のために）該当選定されたランダム値に掛けられる係数）そして／または資源予約周期そして／またはＰＳＳＣＨ−ＲＳＲＰしきい値基盤の候補（転送）資源排除動作後に、最小限に残っていなければならない候補（転送）資源比率（／個数）（そして／または該当残った候補（転送）資源比率（／個数）が事前に設定（／シグナリング）されたしきい値より小さな場合、（関連）ＰＳＳＣＨ−ＲＳＲＰしきい値に加えられるオフセット値）そして／またはＳ−ＲＳＳＩ基盤の候補（転送）資源排除動作後に、最小限に残っていなければならない候補（転送）資源比率（／個数）
【０１４５】
−（サブ）チャンネル混雑（ＢＵＳＹ）（／アイドル（ＩＤＬＥ））判断で使われるＣＢＲしきい値、そして／または（ＰＰＰＰ／ＣＢＲ別）ＣＲ＿ＬＩＭＩＴ値
【０１４６】
また、一例に、（複数個ＡＰ基盤の）ＴＸＤ  ＭＯＤＥ基盤の転送動作は（Ａ）事前に設定（／シグナリング）されたしきい値（／範囲）より高いＰＰＰＰ値（／範囲）の（Ｖ２Ｘメッセージ）転送が遂行される場合、そして／または（Ｂ）事前に設定（／シグナリング）されたしきい値（／範囲）より低いＣＢＲ値が測定された場合のみに限定的に許容されるように設定（／シグナリング）されることもできる。
【０１４７】
ここで、一例に、該当規則の適用理由はＴＸＤ  ＭＯＤＥ技法適用が受信端末の観点ではより多い（空間（SPATIAL））スペース（SPACE）を占めるようになるので、（システム観点で）衝突資源上での受信成功確率がより低くなることができるためである。
【０１４８】
ここで、更に他の一例に、（複数個ＡＰ基盤の）ＴＸＤ  ＭＯＤＥ基盤の転送動作は（Ａ）事前に設定（／シグナリング）されたしきい値（／範囲）より低いＰＰＰＰ値（／範囲）の（Ｖ２Ｘメッセージ）転送が遂行される場合、そして／または（Ｂ）事前に設定（／シグナリング）されたしきい値（／範囲）より高いＣＢＲ値が測定された場合（そして／または（Ｃ）許容ＣＲ対比、事前に設定（／シグナリング）されたしきい値（／範囲）より少ない（または、多い）個数（／比率）のサブチャンネルが（転送に）使用可能な場合）のみに限定的に許容されるように設定（／シグナリング）されることもできる。
【０１４９】
言い換えると、同一Ｖ２Ｘ資源プール上の既存端末に及ぼす影響（例、選択資源衝突、干渉）を最小化するために、転送ダイバーシティ基盤のＶ２Ｘ転送動作を遂行しようとする端末をして、一定条件下のみで転送ダイバーシティ基盤のＶ２Ｘ通信を（実際に）遂行するようにすることができる。即ち、前記転送ダイバーシティ基盤のＶ２Ｘ転送動作を遂行しようとする端末は、事前に設定されたしきい値より低いＰＰＰＰ値のメッセージを転送しようとする場合や、または事前に設定されたしきい値より低いＣＢＲ値が測定された場合のみに転送ダイバーシティ基盤のＶ２Ｘ通信を（実際に）遂行することができる。
【０１５０】
また、一例に、（複数個ＡＰ基盤の）ＴＸＤ  ＭＯＤＥが許容されるＶ２Ｘ資源プール（例えば、ＭＡＰ＿ＵＥが存在するＶ２Ｘ資源プール）は（ＮＯＮ−ＴＸＤ  ＭＯＤＥ（または、ＳＩＮＧＬＥ  ＡＰ）基盤の転送動作が許容されるＶ２Ｘ資源プール（例えば、ＳＡＰ＿ＵＥが存在するＶ２Ｘ資源プール）とは）独立的に（または、相異するように）設定（／シグナリング）されることもできる。
【０１５１】
ここで、一例に、該当（別途に設定（／シグナリング）された）ＴＸＤ  ＭＯＤＥ許容Ｖ２Ｘ資源プール上では（例外的に）ＰＳＳＣＨ転送だけでなく、（連動された）ＰＳＣＣＨ転送にもＴＸＤ技法を適用するように設定（／シグナリング）されることもできる。
【０１５２】
また、一例に、ＴＸＤ  ＭＯＤＥに使われる（ＳＡＰ＿ＵＥとＭＡＰ＿ＵＥとの間に共有されるＡＰを除外した）Ｋ個（例えば、“Ｋ≧１”）のＡＰは事前に設定（／シグナリング）された複数個（Ｍ）のＡＰ番号（／インデックス）候補（例えば、“Ｍ≧Ｋ”）のうち、（ランダムに）選択されるようにすることもできる。
【０１５３】
また、一例に、ＴＸＤ  ＭＯＤＥ基盤の転送動作を遂行する端末（例えば、ＭＡＰ＿ＵＥ）をして、ＳＡＰ＿ＵＥが使用する（１つの）ＡＰ番号（／インデックス）（例えば、ＳＡＰ＿ＵＥとＭＡＰ＿ＵＥとの間に共有されるＡＰ番号（／インデックス））上でのＰＳＳＣＨ転送関連ＲＳサイクリックシフト（CYCLIC SHIFT；ＣＳ）（そして／またはシーケンスグループホッピング（SEQUENCE GROUP HOPPING））（そして／またはスクランブリング（SCRAMBLING））は連動されたＰＳＣＣＨ  ＣＲC（Cyclic Redundancy Check）値などを入力パラメータ（ＳＨ＿ＰＡＲＡ）として有する関数により生成（／遂行）されるようにし、（共有されない）（残りの）ＡＰインデックス（／番号）上でのＰＳＳＣＨ転送関連ＲＳ  ＣＳ（そして／または、シーケンスグループホッピング（SEQUENCE GROUP HOPPING））（そして／またはスクランブリング（SCRMBLING））はＳＨ＿ＰＡＲＡに事前に設定（／シグナリング）された（アンテナポート−特定（AP-SPECIFIC））オフセット値を（追加的に）適用させた後、該当結果値を入力パラメータとして有する関数により生成（／遂行）されるようにすることもできる。
【０１５４】
また、一例に、本発明で、（Ａ）ＴＸＤ動作は事前に設定（／シグナリング）されたしきい値以下の速度（そして／または（特定）速度範囲）（例えば、高速になれば、既に時間領域ダイバーシティ（TIME-DOMAIN DIVERSITY）が生じるので、空間ダイバーシティ（SPACE DIVERSITY）は意味が少なく、チャンネルが速く変わって、ＳＴＢＣのようなＴＸＤの動作が難しいためである）（そして／または（時間／周波数）シンクソースタイプ（例えば、周波数（エラー）オフセットが相対的に少ない場合）そして／または事前に設定（／シグナリング）されたしきい値以下（または／以上）のＣＢＲ測定値）のみで限定的に適用（／許容）されるように設定（／シグナリング）されるか、そして／または（Ｂ）事前に設定（／シグナリング）された速度（範囲）（そして／または（時間／周波数）シンクソースタイプそして／または事前に設定（／シグナリング）されたＣＢＲ測定値（範囲））別に（ＴＸＤ関連）（ペアリングされる）シンボル（グループ）単位（長さ）が相異するように（または、独立的に）設定（／シグナリング）されることもできる。
【０１５５】
ここで、一例に、該当情報は“プール特定（POOL-SPECIFIC）”（そして／または“搬送波特定（CARRIER-SPECIFIC）”）するように設定（／シグナリング）されることもできる。
【０１５６】
前記説明した提案方式に対する一例、また本発明の具現方法のうちの１つに含まれることができるので、一種の提案方式と見なされることができることは明白な事実である。また、前記説明した提案方式は独立的に具現されることもできるが、一部の提案方式の組合せ（または、併合）形態に具現されることもできる。
【０１５７】
一例に、本発明では説明の便宜のために３ＧＰＰ  ＬＴＥシステムに基づいて提案方式を説明したが、提案方式が適用されるシステムの範囲は３ＧＰＰ  ＬＴＥシステムの他に異なるシステムにも拡張可能である。
【０１５８】
一例に、本発明の提案方式はＤ２Ｄ通信のためにも拡張適用可能である。ここで、一例に、Ｄ２Ｄ通信はＵＥが他のＵＥと直接無線チャンネルを用いて通信することを意味し、ここで、一例に、ＵＥはユーザの端末を意味するが、基地局のようなネットワーク装備がＵＥの間の通信方式に従って信号を送／受信する場合にはやはり一種のＵＥと見なされることができる。
【０１５９】
また、一例に、本発明の提案方式はＭＯＤＥ  ３  Ｖ２Ｘ動作（そして／またはＭＯＤＥ  ４  Ｖ２Ｘ動作）のみに限定的に適用されることもできる。また、一例に、本発明の提案方式は特定ＴＸＤ技法（例えば、ＳＴＢＣまたはPRECODING（/BEAM）CYCLING）基盤のＶ２Ｘメッセージ転送時のみに限定的に適用されることもできる。
【０１６０】
また、一例に、本発明の提案方式は事前に設定（／シグナリング）された（特定）Ｖ２Ｘチャンネル（／シグナル）転送（例えば、ＰＳＳＣＨ（そして／または（連動された）ＰＳＣＣＨそして／またはＰＳＢＣＨ））のみに限定的に適用されることもできる。
【０１６１】
また、一例に、本発明の提案方式はＰＳＳＣＨと（連動された）ＰＳＣＣＨが（周波数領域上で）隣接（ADJACENT）（そして／または離隔（NON-ADJACENT））されて転送される場合（そして／または事前に設定（／シグナリング）された変調コーディング技法（Modulation Coding Scheme；ＭＣＳ）（そして／またはコーディングレートそして／またはＲＢ）（値（／範囲））基盤の転送が遂行される場合）のみに限定的に適用されることもできる。
【０１６２】
図１０は、本発明の実施形態が具現される通信装置を示したブロック図である。
【０１６３】
図１０を参照すると、基地局１００は、プロセッサ（processor）１１０、メモリ（memory）１２０及びトランシーバー（transceiver）１３０を含む。図示されたプロセッサ、メモリ、及びトランシーバーは各々別途のチップで具現されるか、または少なくとも２以上のブロック／機能が１つのチップを通じて具現できる。
【０１６４】
プロセッサ１１０は、提案された機能、過程及び／又は方法を具現する。メモリ１２０はプロセッサ１１０と連結されて、プロセッサ１１０を駆動するための多様な情報を格納する。トランシーバー１３０はプロセッサ１１０と連結されて、無線信号を転送及び／又は受信する。
【０１６５】
端末２００は、プロセッサ２１０、メモリ２２０及びトランシーバー２３０を含む。プロセッサ２１０は提案された機能、過程及び／又は方法を具現する。メモリ２２０はプロセッサ２１０と連結されて、プロセッサ２１０を駆動するための多様な情報を格納する。トランシーバー２３０はプロセッサ２１０と連結されて、無線信号を転送及び／又は受信する。端末２００は他の端末に前述した方法によってＶ２Ｘ信号を転送／再転送することができる。
【０１６６】
プロセッサ１１０、２１０は、ＡＳＩＣ（application-specific integrated circuit）、他のチップセット、論理回路、データ処理装置及び／又はベースバンド信号及び無線信号を相互変換する変換機を含むことができる。メモリ１２０、２２０は、ＲＯＭ（read-only memory）、ＲＡＮ（random access memory）、フラッシュメモリ、メモリカード、格納媒体及び／又は他の格納装置を含むことができる。トランシーバー１３０、２３０は、無線信号を転送及び／又は受信する１つ以上のアンテナを含むことができる。実施形態がソフトウェアで具現される時、前述した技法は前述した機能を遂行するモジュール（過程、機能など）で具現できる。モジュールは、メモリ１２０、２２０に格納され、プロセッサ１１０、２１０により実行できる。メモリ１２０、２２０は、プロセッサ１１０、２１０の内部または外部にいることができ、よく知られた多様な手段でプロセッサ１１０、２１０と連結できる。
【０１６７】
図１１は、プロセッサに含まれる装置の一例を示すブロック図である。
【０１６８】
図１１によれば、プロセッサは機能的な側面で情報受信部１１１０、端末検出部１１２０、ＲＳＲＰ測定部１１３０から構成できる。
【０１６９】
ここで、情報受信部はＶ２Ｘ通信を遂行しようとする端末が設定を受けたＶ２Ｘ資源プール上で転送ダイバーシティ共存有無、前記端末が信号受信電力を測定しようとする他の端末の転送ダイバーシティモードにより使用するアンテナポート個数、前記他の端末の転送ダイバーシティ技法種類のうち、少なくともいずれか１つを含む情報を受信する機能を有することができる。また、ここで、端末検出部は前記情報に基づいて転送ダイバーシティ基盤のＶ２Ｘ転送動作を遂行する特定端末を検出する機能を有することができる。また、ここで、ＲＳＲＰ測定部は前記特定端末に対するＰＳＳＣＨ−ＲＳＲＰを測定する機能を有することができる。
【０１７０】
前記記載したプロセッサに含まれる装置に対する説明は１つの例示であり、プロセッサは他の機能的な要素乃至装置をさらに含むことができる。また、前記記載した各機能的な装置が遂行する動作に対する具体的な例は前述した通りであるので、これに対する重複説明は省略する。
【図１】
0006972155.tif 000002
【図２】
0006972155.tif 000003
【図３】
0006972155.tif 000004
【図４】
0006972155.tif 000005
【図５】
0006972155.tif 000006
【図６】
0006972155.tif 000007
【図７】
0006972155.tif 000008
【図８】
0006972155.tif 000009
【図９】
0006972155.tif 000010
【図１０】
0006972155.tif 000011
【図１１】
0006972155.tif 000012